(57)【要約】【課題】  移動予定の経路に従って受信可能な放送チャンネルの情報を提示可能な放送受信装置および受信状態算出装置を提供する。【解決手段】  現在地情報取得部１１で現在地情報を取得する。ユーザが目的地を指定すると、現在地から指定した目的地までの経路情報を経路情報取得部１２で取得し、制御部１５は結果をデータ記憶部１８に記憶する。取得した経路が通過する地域を含むサービスエリアマップをサービスエリアマップ取得部１３で取得し、制御部１５は結果をデータ記憶部１８に記憶する。受信状態算出部１７が、取得したサービスエリアマップと経路情報を関連付け、受信状態を算出し、制御部１５は算出された受信状態の情報をデータ記憶部１８に記憶する。データ記憶部１８に記憶された各チャンネルの受信状態、受信可能な場所と時間などの情報を受信状態出力部１６から表示部に出力させる。【選択図】図１
2007019920.tif 000002
【特許請求の範囲】
【請求項１】
放送波を受信する放送受信手段と、
現在位置を取得する現在位置情報取得手段と、
指定位置から指定位置までの経路情報を取得する経路情報取得手段と、
放送受信装置の放送波の受信状態を地理的に示したサービスエリアマップを取得するサービスエリアマップ取得手段と、
取得した前記経路情報と取得した前記サービスエリアマップを関連付けることによって経路上の位置と時刻の変化に伴う放送波の受信状態の変化を算出する受信状態算出手段と、
経路上における放送の受信状態を出力する受信状態出力手段とを有することを特徴とする移動型放送受信装置。
【請求項２】
データを送受信するための通信手段と、
指定位置から指定位置までの経路情報を取得する経路情報取得手段と、
放送受信装置の放送波の受信状態を地理的に示したサービスエリアマップを取得するサービスエリアマップ取得手段と、
取得した前記経路情報と取得した前記サービスエリアマップを関連付けることによって経路上の位置と時刻の変化に伴う放送波の受信状態の変化を算出する受信状態算出手段とを有することを特徴とする受信状態算出装置。
【請求項３】
放送波を受信する放送受信手段と、
現在位置を取得する現在位置情報取得手段と、
データを送受信するための通信手段と、
前記通信手段を介して請求項２に記載の受信状態算出装置から経路上における放送波の受信状態の変化の情報を取得し、出力する受信状態出力手段とを有することを特徴とする移動型放送受信装置。
【請求項４】
データを送受信するための通信手段と、
通信相手の放送受信装置の現在位置情報を取得する受信装置位置情報取得手段と、
指定位置から指定位置までの経路情報を取得する経路情報取得手段と、
放送受信装置の放送波の受信状態を地理的に示したサービスエリアマップを取得するサービスエリアマップ取得手段と、
指定された経路情報と指定されたサービスエリアマップを関連付けることによって経路上の位置と時刻の変化に伴う放送波の受信状態の変化を算出する受信状態算出手段とを有することを特徴とする受信状態算出装置。
【請求項５】
放送波を受信する放送受信手段と、
データを送受信するための通信手段と、
前記通信手段を介して請求項４に記載の受信状態算出装置から経路上における放送波の受信状態の変化の情報を取得し、出力する受信状態出力手段とを有することを特徴とする移動型放送受信装置。
【請求項６】
請求項１、３または５の少なくとも１項に記載の移動型放送受信装置であって、
番組情報を取得する番組情報取得手段を有し、番組情報と関連付けて経路上における放送の受信状態を出力する受信状態出力手段を有することを特徴とする移動型放送受信装置。
【請求項７】
請求項１、３、５または６の少なくとも１項に記載の移動型放送受信装置であって、
放送の受信予約一覧を作成する受信予約一覧作成手段と、
前記受信予約一覧に従って自動的に選局を行う自動選局手段とを有することを特徴とする移動型放送受信装置。
【請求項８】
請求項７に記載の移動型放送受信装置であって
前記自動選局手段は、自動選局中に、指定した経路と実際の移動経路にずれが生じた場合、または、指定した経路における通過予定時刻と実際の通過時刻にずれが生じた場合に、受信予約一覧の再作成を行うことを特徴とする移動型放送受信装置。
【請求項９】
請求項７に記載の移動型放送受信装置であって、
前記受信予約一覧作成手段は、受信したい放送をユーザが設定して受信予約一覧を作成することを特徴とする移動型放送受信装置。
【請求項１０】
請求項７に記載の移動型放送受信装置であって、
受信したい放送の条件を設定するための条件設定手段を有し、
前記受信予約一覧作成手段は、条件設定手段で設定された条件に合う受信可能な放送を自動的に選択して受信予約一覧を作成することを特徴とする移動型放送受信装置。
【発明の詳細な説明】
【技術分野】
【０００１】
本発明は、放送受信装置に関し、特に、車載端末あるいは携帯電話及びＰＤＡ（Personal Digital Assistants）等の携帯端末に内蔵される移動型の放送受信装置と放送受信装置の受信状態を算出する受信状態算出装置に関するものである。
【背景技術】
【０００２】
車載端末あるいは携帯電話及びＰＤＡ等の携帯端末にＧＰＳ（Global Positioning System、全地球無線測位システム）を載せることによって現在位置を検出し、目的地までの経路をナビゲーションすることが可能となっている。
【０００３】
また、ＥＰＧ（Electronic Program Guide、電子番組ガイド）と呼ばれる、番組表を画面に表示するシステムが知られている。このシステムでは、放送波に含まれる番組表のデータを取得する方法と、インターネットを通じて番組表のデータを取得する方法がある。
【０００４】
また、車載端末あるいは携帯電話及びＰＤＡ等の携帯端末にテレビやラジオなどの放送受信装置を載せて移動しながら放送を受信することが可能となっている。しかし、移動中に放送を受信する際には、移動経路上にビルの狭間や高速道路の下など放送電波を受信しにくい場所がある場合があり、経路によっては視聴中の番組が途中で受信できなくなってしまう問題がある。
【０００５】
このような受信状態の悪化に対して、特許文献１（特開平５−８３６４８号公報）では、移動体テレビ受信装置に現在位置を測位できるＧＰＳ機能を搭載して現在位置情報を検出し、現在位置における受信可能なチャンネルと、そのチャンネルの受信感度レベルを表示し、どのチャンネルを受信するのが最適であるか認識できるようにする技術が開示されている。
【０００６】
特許文献１における移動体テレビ受信装置の構成について説明する。
図２６において、放送受信装置は、自動車１０２に設置されており、人工衛星１０３から常時送られてくる電波を受信することで自動車１０２の現在位置を測位するＧＰＳ装置１０１、ＧＰＳ装置１０１で測位した自動車１０２の位置情報から、どこのテレビ放送局エリアに所属しているかを判断する放送局エリア判断装置１０４、自動車１０２が現在所属している放送局エリアから他の放送局エリアへ移動したときにブザーを鳴らして移動したことを知らせるエリア変移ブザー１０５、放送局エリア判断装置１０４に記憶されている放送局エリアに対応してテレビチャンネルを記憶させておくチャンネルメモリー部１０６、放送局エリア判断装置１０４で判断された放送局エリアより、それに対応したチャンネルをチャンネルメモリー部１０６より呼び出すチャンネル制御部１０７、チャンネル制御部１０７で呼び出したチャンネルをテレビ受信回路１０９に通して各チャンネルの受信感度を調べる受信感度レベル検索部１０８、テレビ放送を受信するためのテレビ受信回路１０９、チャンネル制御部１０７で呼び出したチャンネルを表示する受信可能チャンネル表示部１１０、受信感度レベル検索部１０８で調べた受信感度を調べる受信レベル表示部１１１で構成されている。
【０００７】
以上のように構成された移動体テレビ受信装置は、ＧＰＳ装置１０１において測位した自動車１０２の位置情報（緯度・経度・高度）をもとにして、放送局エリア判断装置１０４で自動車１０２の現在位置がどこの放送局のエリアに属しているかを調べ、チャンネルメモリー部１０６に記憶されている該当テレビチャンネルをチャンネル制御部１０７で呼び出す。
【特許文献１】特開平５−８３６４８号公報
【発明の開示】
【発明が解決しようとする課題】
【０００８】
移動中に放送を受信する際に、経路上にはトンネル内や、高架下、ビルの陰などのように放送電波の受信が困難な場所が存在する場合や、放送エリアの範囲外を通る場合があり、移動中に受信ができなくなる可能性がある。
上記の従来技術では、現在位置における受信可能チャンネルとそれぞれのチャンネルの受信レベルを表示することができ、受信ができなくなった場合には、受信可能な他のチャンネルに切り替えることができる。
【０００９】
しかし、現在の受信可能チャンネルがわかっても、それらの受信可能なチャンネルがこれから先も番組を受信し続けることが可能かどうかはわからないという問題がある。また、これから先に受信できる可能性のあるチャンネルがあるかどうかわからないという問題もある。そのため、受信状態が変化するたびに、受信可能チャンネルを検索してチャンネルを切り替える必要があるという問題がある。
【００１０】
本発明は、移動予定の経路に従って受信可能な放送チャンネルの情報を提示可能な放送受信装置および受信状態算出装置を提供することにある。
【課題を解決するための手段】
【００１１】
第１の発明は、放送波を受信する放送受信手段と、現在位置を取得する現在位置情報取得手段と、指定位置から指定位置までの経路情報を取得する経路情報取得手段と、放送受信装置の放送波の受信状態を地理的に示したサービスエリアマップを取得するサービスエリアマップ取得手段と、取得した前記経路情報と取得した前記サービスエリアマップを関連付けることによって経路上の位置と時刻の変化に伴う放送波の受信状態の変化を算出する受信状態算出手段と、経路上における放送の受信状態を出力する受信状態出力手段とを有することを特徴とする移動型放送受信装置である。
【００１２】
第２の発明は、データを送受信するための通信手段と、指定位置から指定位置までの経路情報を取得する経路情報取得手段と、放送受信装置の放送波の受信状態を地理的に示したサービスエリアマップを取得するサービスエリアマップ取得手段と、取得した前記経路情報と取得した前記サービスエリアマップを関連付けることによって経路上の位置と時刻の変化に伴う放送波の受信状態の変化を算出する受信状態算出手段とを有することを特徴とする受信状態算出装置である。
【００１３】
第３の発明は、放送波を受信する放送受信手段と、現在位置を取得する現在位置情報取得手段と、データを送受信するための通信手段と、前記通信手段を介して前記第２の発明に記載の受信状態算出装置から経路上における放送波の受信状態の変化の情報を取得し、出力する受信状態出力手段とを有することを特徴とする移動型放送受信装置である。
【００１４】
第４の発明は、データを送受信するための通信手段と、通信相手の放送受信装置の現在位置情報を取得する受信装置位置情報取得手段と、指定位置から指定位置までの経路情報を取得する経路情報取得手段と、放送受信装置の放送波の受信状態を地理的に示したサービスエリアマップを取得するサービスエリアマップ取得手段と、指定された経路情報と指定されたサービスエリアマップを関連付けることによって経路上の位置と時刻の変化に伴う放送波の受信状態の変化を算出する受信状態算出手段とを有することを特徴とする受信状態算出装置である。
【００１５】
第５の発明は、放送波を受信する放送受信手段と、データを送受信するための通信手段と、前記通信手段を介して前記第４の発明に記載の受信状態算出装置から経路上における放送波の受信状態の変化の情報を取得し、出力する受信状態出力手段とを有することを特徴とする移動型放送受信装置である。
【００１６】
第６の発明は、第１、３または５の発明の少なくとも１つに記載の移動型放送受信装置であって、番組情報を取得する番組情報取得手段を有し、番組情報と関連付けて経路上における放送の受信状態を出力する受信状態出力手段を有することを特徴とする。
【００１７】
第７の発明は、第１、３、５または６の発明の少なくとも１つに記載の移動型放送受信装置であって、放送の受信予約一覧を作成する受信予約一覧作成手段と、前記受信予約一覧に従って自動的に選局を行う自動選局手段とを有することを特徴とする。
【００１８】
第８の発明は、第７の発明に記載の移動型放送受信装置であって、前記自動選局手段は、自動選局中に、指定した経路と実際の移動経路にずれが生じた場合、または、指定した経路における通過予定時刻と実際の通過時刻にずれが生じた場合に、受信予約一覧の再作成を行うことを特徴とする。
【００１９】
第９の発明は、第７の発明に記載の移動型放送受信装置であって、前記受信予約一覧作成手段は、受信したい放送をユーザが設定して受信予約一覧を作成することを特徴とする。
【００２０】
第１０の発明は、第７の発明に記載の移動型放送受信装置であって、受信したい放送の条件を設定するための条件設定手段を有し、前記受信予約一覧作成手段は、条件設定手段で設定された条件に合う受信可能な放送を自動的に選択して受信予約一覧を作成することを特徴とする。
【発明の効果】
【００２１】
移動中に放送を受信する際には、途中で受信ができなくなる可能性がある。上記の従来技術は、現在の受信可能なチャンネルを知ることができるが、それらの受信可能チャンネルがこれから先も受信し続けることが可能かどうかはわからないため、受信状態が変化するたびに、受信可能チャンネルを検索してチャンネルを切り替える必要があった。
【００２２】
しかし、移動前に移動予定の経路上における各放送の受信状態をあらかじめ算出し、その結果をディスプレイまたはスピーカーなどで出力提示することにより、経路上での各放送の視聴可否、各放送の視聴可能な時間・場所を確認することができる。また、番組情報を関連付けて出力することにより、どの番組が視聴可能かどうかを確認することもできる。
【００２３】
また、経路上で受信可能な番組のみをあらかじめ選択して受信予約一覧を作成し、その一覧に従って自動的に選局しながら受信することもできるため、移動中に番組が受信できなくなるのを回避できる。また、ユーザがあらかじめ設定しておいた条件に応じて、受信予約一覧を自動作成することも可能であるため、ユーザはチャンネル設定などの操作を行うことなく、受信したい番組を受信し続けることが可能である。これは、自動車の運転中や満員電車の中など、放送受信装置の操作が困難な場合に有効である。
【発明を実施するための最良の形態】
【００２４】
以下、添付図面を参照しながら、本発明の実施例を具体的に説明する。
【００２５】
＜第１実施形態＞
図１は本発明における第１実施形態を示す放送受信装置の機能ブロック図である。
図１において、放送受信装置は、ＧＰＳ装置や基地局との通信などを用いて現在地情報を取得する現在地情報取得部１１、指定位置から指定された目的地までの経路情報を取得する経路情報取得部１２、指定された地域と指定されたチャンネルのサービスエリアマップを取得するサービスエリアマップ取得部１３、放送を受信するための放送受信部１４、各ブロックの制御とデータの受け渡しを行う制御部１５、制御部１５で算出された受信状態を表示部へ出力する受信状態出力部１６で構成されている。制御部１５は、経路情報とサービスエリアマップを関連付けて経路上の放送波の受信状態を算出する受信状態算出部１７と、各機能が処理に必要なデータを保存するためのデータ記憶部１８とを備える。
【００２６】
ここで、サービスエリアマップとは、地図上の各地点における受信装置の受信状態を示すものであり、放送の種類、チャンネル（周波数）または放送局、受信装置の種類のいずれか１つの条件ごとに提供されるものである。
【００２７】
以上のように構成された放送受信装置において、現在地から目的地までの経路上における各チャンネルの受信状態の変化を取得し、表示する手順について図２を用いて説明する。
【００２８】
まず、現在地情報取得部１１で現在地情報を取得する（ステップＳ１）。次に、ユーザが目的地を指定すると（ステップＳ２）、現在地から指定した目的地までの経路情報を経路情報取得部１２で取得し（ステップＳ３）、制御部１５は結果をデータ記憶部１８に記憶する。図３は、取得した経路情報の例を示す図である。
【００２９】
次に、取得した経路が通過する地域を含むサービスエリアマップをサービスエリアマップ取得部１３で取得し（ステップＳ４）、制御部１５は結果をデータ記憶部１８に記憶する。対応するサービスエリアマップが存在しない場合は、受信状態出力部１６に、対応するサービスエリアマップが存在しない情報を表示部に出力させる。
【００３０】
ここで取得されるサービスエリアマップの一例を図４に示す。サービスエリアマップの例はこれに限られるものではなく、様々な構成をとることが可能である。その構成例については、後で詳しく説明する。
【００３１】
次に、本発明の特徴である受信状態算出部１７が、取得したサービスエリアマップと経路情報を関連付け、経路上の地点ごと、または時間ごとの受信状態を算出し（ステップＳ５）、制御部１５は算出された受信状態の情報をデータ記憶部１８に記憶する。関連付け方法の一例として、図５では、経路図とサービスエリアマップを重ね合わせて経路上の各地点、各時刻の受信状態を算出している。この例は、関連付けの方法を概念的に示すものであり、関連付け方法はこれに限られるものではない。
【００３２】
次に、上記の処理によってデータ記憶部１８に記憶された各チャンネルの受信状態、受信可能な場所と時間などの情報を受信状態出力部１６から表示部に出力させる（ステップＳ６）。これらの情報の表示例として、図６（ａ）に示す各チャンネルの受信状態の一覧、図６（ｂ）に示す指定したチャンネルの受信状態と経路情報、図７（ａ）に示す指定した受信レベルに対応するチャンネルの一覧、図７（ｂ）に示す指定した時間に受信可能なチャンネルの一覧、図５に示す経路上の各位置における受信状態などがある。また、図３に示す経路情報、図４に示すサービスエリアマップを受信状態出力部１６に表示することも可能である。
【００３３】
本実施例では、現在地から目的地までの経路を求めているが、任意の地点から任意の地点までの経路を求めるように構成することも可能である。また、任意の地点で任意の時間停止するような経路を求めることも可能である。また、本実施例では、通常の道路を移動する経路を求めているが、電車等の交通機関で移動する経路を求めるように構成することも可能である。
【００３４】
サービスエリアマップの一例として、図８に示すように、地図上に点をプロットしていき、その点ごとに受信状態を記憶するなどの方法がある。この図では、一定距離ごとに点をプロットしているが、他の方法でプロットすることも可能である。指定地点の受信状態の求め方としては、指定地点に最も近い点の受信状態を指定地点の受信状態とする方法、近傍点のいくつかから補完的に受信状態を求める方法などがある。
【００３５】
また、前記サービスエリアマップの一例として、地図を四角形、六角形、円形などの区域に区切り、その区域ごとに受信状態を記憶するなどの方法がある。図９のように四角形に区切ることや、図１０のように六角形に区切ることが可能である。また、図１１のように任意の形の区域で区切ることも可能であるし、非連続な区域で区切ることも可能である。指定地点の受信状態は、その地点がどの区域上にあるかで決定する。
【００３６】
また、前記サービスエリアマップの一例として、図１２に示すように、地図上の各道路、電車などの各路線を区間ごとに区切り、区間ごとに受信状態を記憶するなどの方法がある。指定地点の受信状態は、その地点がどの区間上にあるかで決定する。
【００３７】
本発明におけるサービスエリアマップは、点の間隔、区域の形、区域の面積、区間の距離などを記憶容量、精度などに応じて任意に定めることが可能である。また、図１３のように、道路・路線上の受信状態は区間ごとに記憶し、建物などの受信状態は区域ごとに記憶するなどのようにして、複数の記憶方法を併用することも可能である。これにより、地形や交通手段、記憶容量、精度などの様々な条件に柔軟に対応するサービスエリアマップを提供することが可能である。
【００３８】
前記サービスエリアマップの例では各地点における受信状態を受信の可否によって表示しているが、各地点における受信レベル、受信率などの受信状態に関する情報を記憶し、表示することが可能である。
【００３９】
また、受信状態は、同一地点であったとしても、受信装置の移動速度、移動方向、高度、気象条件、屋内にいるか屋外にいるか、車内にいるか車外にいるかなどで異なる場合がある。また、同一建物内であったとしても、どの階にいるか、どの部屋にいるか、駅ではどのホームにいるかなどで受信状態が異なる場合もある。そのため、必要に応じて、受信状態が変わる可能性のある条件別にサービスエリアマップを提供することも可能である。図１４は晴天時と雨天時のサービスエリアマップを同時に表示した例である。
【００４０】
＜第２実施形態＞
本発明における放送受信装置は、外部の受信状態算出装置で受信状態の変化を算出し、受信状態算出装置から受信状態を取得する構成をとることも可能である。
図１５は本発明における第２実施形態を示す放送受信装置と受信状態算出装置のブロック図である。
【００４１】
図１５において、放送受信装置２０は、ＧＰＳ装置や基地局との通信などを用いて現在地情報を取得する現在地情報取得部２１、データを取得するための通信処理部２２、放送波を受信する放送受信部２３、各ブロックの制御とデータの受け渡しを行う制御部２４、通信処理部２２から取得した指定位置から指定された目的地までの経路上における放送波の受信状態の変化の情報を表示する受信状態出力部２５で構成されている。制御部２４は、各機能が処理に必要なデータを保存するためのデータ記憶部２６を備える。
【００４２】
図１５において、受信状態算出装置３０は、データを取得するための通信処理部３１と、指定位置から指定位置までの経路情報を取得する経路情報取得部３２と、放送受信装置２０の放送波の受信状態を地理的に示したサービスエリアマップを取得するサービスエリアマップ取得部３３と、各ブロックの制御とデータの受け渡しを行う制御部３４で構成されている。制御部３４は、取得した経路情報と取得したサービスエリアマップを関連付けることによって経路上の放送波の受信状態を算出する受信状態算出部３５を備える。
【００４３】
上記のように構成された放送受信装置２０と受信状態算出装置３０において、現在地から目的地までの経路上における各チャンネルの受信状態の変化を取得する手順について図１６を用いて説明する。
【００４４】
まず、放送受信装置２０の動作について説明する。放送受信装置２０は、現在地情報取得部２１で現在地情報を取得し（ステップＳ１１）、ユーザが目的地を指定すると（ステップＳ１２）、通信処理部２２より、現在地と目的地の情報を受信状態算出装置（サーバ）３０に送信する（ステップＳ１３）。
【００４５】
次に、放送受信装置２０は、受信状態算出装置３０から送信された経路情報、サービスエリアマップ、経路上の受信状態の情報を通信処理部２２を介して受信し、制御部２４は受信したデータをデータ記憶部２６に記憶する（ステップＳ２１）。その際に、受信状態算出装置３０からサービスエリアマップが存在しないというメッセージを受け取った場合には、その旨の情報を受信状態出力部２５から表示部に出力する。受信状態算出装置３０の動作については、後で説明する。
【００４６】
次に、上記の処理によってデータ記憶部２６に記憶された各チャンネルの受信状態、受信可能な場所と時間などの情報を受信状態出力部２５から表示部に出力し表示する（ステップＳ２２）。図１５の放送受信装置では、図１の放送受信装置と同様の情報を表示することが可能である。
【００４７】
次に、受信状態算出装置３０の動作について説明する。受信状態算出装置３０は、通信処理部３１より、現在地と目的地の情報を受信し（ステップＳ１４）、現在地から目的地までの経路情報を経路情報取得部３２で取得する（ステップＳ１５）。次に、取得した経路が通過する地域を含むサービスエリアマップを検索し（ステップＳ１６）、サービスエリアマップが存在するかを確認する（ステップＳ１７）。対応するサービスエリアマップが存在しない場合は、通信処理部３１から放送受信装置２０に、対応するサービスエリアマップが存在しないというメッセージを送信する（ステップＳ２０）。
【００４８】
対応するサービスエリアマップが存在するならば、サービスエリアマップ取得部３３で取得する（ステップＳ１８）。次に、受信状態算出部３５は、取得した経路情報とサービスエリアマップを関連付け、経路上の地点ごと、または時間ごとの受信状態を算出する（ステップＳ１９）。経路情報とサービスエリアマップの関連付け方法は、図１の放送受信装置の受信状態算出部１７が行う方法と同等である。
【００４９】
次に、制御部３４は、通信処理部３１より、経路情報、サービスエリアマップ、経路上の受信状態の情報を放送受信装置２０に送信する（ステップＳ２０）。
【００５０】
＜第３実施形態＞
本発明における第３実施形態を示す放送受信装置と受信状態算出装置は、受信状態算出装置に放送受信装置の現在位置を取得する手段を付加し、受信状態算出装置側で放送受信装置の現在位置を取得するように構成することも可能である。
【００５１】
図１７は本発明における第３実施形態を示す放送受信装置と放送受信装置の現在位置を取得する手段を付加した受信状態算出装置のブロック図である。
図１７において、放送受信装置４０は、データを取得するための通信処理部４１、放送波を受信する放送受信部４２、各ブロックの制御とデータの受け渡しを行う制御部４３、通信処理部４１から取得した指定位置から指定された目的地までの経路上における放送波の受信状態の変化の情報を表示部に出力する受信状態出力部４４で構成されている。制御部４３は、各機能が処理に必要なデータを保存するためのデータ記憶部４５を備える。
【００５２】
図１７において、受信状態算出装置５０は、データを取得するための通信処理部５１と、通信相手の放送受信装置の現在位置情報を取得する受信装置位置情報取得部５２と、指定位置から指定位置までの経路情報を取得する経路情報取得部５３と、放送受信装置の放送波の受信状態を地理的に示したサービスエリアマップを取得するサービスエリアマップ取得部５４と、各ブロックの制御とデータの受け渡しを行う制御部５５で構成されている。制御部５５は、取得した経路情報と取得したサービスエリアマップを関連付けることによって経路上の放送波の受信状態を算出する受信状態算出部５６を備える。
【００５３】
上記のように構成された放送受信装置４０と受信状態算出装置５０において、現在地から目的地までの経路上における各チャンネルの受信状態の変化を取得する手順について図１８を用いて説明する。
【００５４】
まず、放送受信装置４０の動作について説明する。ユーザが目的地を指定すると（ステップＳ３１）、通信処理部４１より、目的地の情報を受信状態算出装置５０に送信する（ステップＳ３２）。
【００５５】
次に、放送受信装置４０は、受信状態算出装置５０から送信された経路情報、サービスエリアマップ、経路上の受信状態の情報を通信処理部４１から受信し、制御部４３は受信したデータをデータ記憶部４５に記憶する（ステップＳ４１）。その際に、受信状態算出装置５０からサービスエリアマップが存在しないというメッセージを受け取った場合には、その旨の情報を受信状態出力部４４から表示部へ出力し表示する。受信状態算出装置５０の動作については、後で説明する。
【００５６】
次に、上記の処理によってデータ記憶部４５に記憶された各チャンネルの受信状態、受信可能な場所と時間などの情報を受信状態出力部４４から表示部へ出力し表示する（ステップＳ４２）。図１７の放送受信装置４０では、図１の放送受信装置１０と同様の情報を表示することが可能である。
【００５７】
次に、受信状態算出装置５０の動作について説明する。受信状態算出装置５０は、通信処理部５１より、目的地の情報を受信し（ステップＳ３３）、受信装置位置情報取得部５２より、通信相手の放送受信装置４０の現在位置情報を取得する（ステップＳ３４）。次に、通信相手の現在地から目的地までの経路情報を経路情報取得部５３で取得する（ステップＳ３５）。次に、取得した経路が通過する地域を含むサービスエリアマップを検索し（ステップＳ３６）、サービスエリアマップが存在するかを確認する（ステップＳ３７）。対応するサービスエリアマップが存在しない場合は、通信処理部５１から放送受信装置４０に、対応するサービスエリアマップが存在しないというメッセージを送信する（ステップＳ４０）。
【００５８】
対応するサービスエリアマップが存在するならば、サービスエリアマップ取得部５４で取得する（ステップＳ３８）。次に、受信状態算出部５６は、取得した経路情報とサービスエリアマップを関連付け、経路上の地点ごと、または時間ごとの受信状態を算出する（ステップＳ３９）。経路情報とサービスエリアマップの関連付け方法は、図１の放送受信装置の受信状態算出部１７が行う方法と同等である。
【００５９】
次に、制御部５５は、通信処理部５１より、経路情報、サービスエリアマップ、経路上の受信状態の情報を放送受信装置４０に送信する（ステップＳ４０）。
【００６０】
＜第４実施形態＞
また、前記の放送受信装置に番組情報取得部を追加することにより、番組情報を関連付けて受信状態を表示するように構成することも可能である。
図１９は本発明の第４実施形態を示す放送受信装置のブロック図であり、図１の放送受信層と同様の構成であるので、同一の部分には、共通の符号を付す。図１９における放送受信装置は、図１における放送受信装置に番組情報取得部１９を追加したものである。
【００６１】
以上のように構成された放送受信装置において、現在地から目的地までの経路上における各チャンネルの受信状態の変化を取得し、表示する手順の一例を図２０に基づいて説明する。
【００６２】
図２０におけるステップＳ５１からステップＳ５５までの処理は、図２におけるステップＳ１からステップＳ５までの処理と同様の処理を行う。次に、番組情報を番組情報取得部１９で取得し、制御部１５は結果をデータ記憶部１８に記憶する（ステップＳ５６）。
【００６３】
次に、上記の処理によってデータ記憶部１８に記憶された各番組の受信状態、受信可能な場所と時間などの情報を受信状態出力部１６に表示する（ステップＳ５７）。これらの情報の表示例として、図２１（ａ）に示す各チャンネルの番組毎の受信状態の一覧、図２１（ｂ）に示す指定したチャンネルの受信状態と番組情報と経路情報、図２２（ａ）に示す指定した受信状態に対応する番組の一覧、図２２（ｂ）に示す指定した時間に受信可能な番組の一覧がある。また、番組情報取得部１９で取得した番組情報、図１の放送受信装置で表示可能な情報も表示することが可能である。
【００６４】
また、前記の放送受信装置に、図２３のような受信予定の放送と受信予定時間を含んだ受信予約一覧を作成する受信予約一覧作成部と、その一覧に従って自動的に選局を行う自動選局部を追加することにより、経路上で受信可能な放送をあらかじめ選択して、選択した放送を自動的に選局しながら受信することが可能である。これにより、移動中に番組が受信できなくなることを回避できる。
【００６５】
自動選局の処理の流れの一例を図２４に示す。まず、上記の受信状態算出手段を用いて、経路上の受信状態を算出する（ステップＳ６１）。次に、受信予約一覧作成手段によって受信予約一覧を作成し（ステップＳ６２）、自動選局手段は上記受信予約一覧に従って、自動的に選局を行っていく（ステップＳ６３）。そして、予約終了時刻を経過するまで自動選局を続け、予約終了時刻を経過すると自動選局を終了する（ステップＳ６４）。
【００６６】
次に、あらかじめ取得した経路と実際の移動経路がずれてしまった場合に、受信予約一覧の再作成を行う自動選局の処理の流れの一例を図２５に示す。まず、上記の受信状態算出手段を用いて、経路上の受信状態を算出する（ステップＳ７１）。次に、受信予約一覧作成手段によって受信予約一覧を作成し（ステップＳ７２）、自動選局手段は上記受信予約一覧に従って、自動的に選局を行っていく（ステップＳ７３）。
【００６７】
次に、一定時間経過したかどうかを判断する（ステップＳ７４）。一定時間経過していない場合はステップＳ７４の後に戻って自動選局を続ける。一定時間経過した場合は、予約終了時刻を経過したかどうかを判断する（ステップＳ７５）。予約時間を経過した場合は自動選局を終了する。予約終了時刻を経過していない場合は、現在地情報を取得し（ステップＳ７６）、データ記憶部に記憶された経路情報と現在地情報を比較し、通過予定時刻と現在時刻、または、通過予定地点と現在地点のどちらかのずれが一定値以上でないか判断する（ステップＳ７７）。どちらのずれも一定値より下だった場合は、ステップＳ４３０４の後に戻り自動選局を続ける。一定値以上のずれが生じていた場合には、経路情報を再取得して更新し（ステップＳ７８）、更新された経路情報に基づいて経路上の受信状態を再算出し、経路上の受信状態の情報を更新する（ステップＳ７９）。更新された受信状態に基づいて、受信予約一覧から受信不可になった番組があるかどうかを検索する（ステップＳ８０）。受信不可になった番組がない場合は、ステップＳ７４の後に戻り自動選局を続ける。あった場合は、受信不可になった番組を受信状態出力部に出力する。（ステップＳ８１）。次に、再予約するかどうかを確認する（ステップＳ８２）。再予約する場合はステップＳ７１の後に戻る。しない場合は自動選局を続行するかどうかを確認する。（ステップＳ８３）。自動選局を続行する場合は、ステップＳ７４の後に戻り自動選局を続ける。終了する場合は、自動選局を終了する。
【００６８】
前記受信予約一覧の作成においては、前記放送受信装置で出力される放送の受信状態、受信可能な放送の一覧などから、ユーザが任意の放送を選択することにより、受信予約一覧を作成するように構成してもよい。
【００６９】
また、前記受信予約一覧の作成においては、視聴したい番組の条件をあらかじめ設定するための条件設定手段を追加し、条件設定手段で設定された条件に合う受信可能な放送を受信可能な放送の一覧から自動的に選択して受信予約一覧を作成するという受信予約一覧作成処理をとるように構成してもよい。条件設定手段では、放送の種類、チャンネル（周波数）または放送局名、時刻、番組名、出演者名、番組の内容、任意のキーワード、各条件の優先度などの条件を設定することが可能である。
【００７０】
以上、本発明の各実施形態を説明したが、本発明は上述した各実施形態に限定されるものではなく、本発明の要旨を逸脱しない範囲内において、さまざまな変更を加えることが可能である。
【図面の簡単な説明】
【００７１】
【図１】本発明における第１実施形態を示す放送受信装置の機能ブロック図である。
【図２】第１実施形態の放送受信装置における受信状態を出力する手順の一例を示すフローチャート図である。
【図３】経路情報の例を示す図である。
【図４】サービスエリアマップの例を示す図である。
【図５】サービスエリアマップと経路情報を関連付ける方法を模式的に表した説明図である。
【図６】（ａ）各チャンネルの受信状態の一覧の表示例を示す説明図である。（ｂ）指定したチャンネルの受信状態と経路情報の表示例を示す説明図である。
【図７】（ａ）指定した受信レベルに対応するチャンネルの一覧の表示例を示す説明図である。（ｂ）指定した時間に受信可能なチャンネルの一覧の表示例を示す説明図である。
【図８】サービスエリアマップの一例を示す説明図である。
【図９】サービスエリアマップの一例を示す説明図である。
【図１０】サービスエリアマップの一例を示す説明図である。
【図１１】サービスエリアマップの一例を示す説明図である。
【図１２】サービスエリアマップの一例を示す説明図である。
【図１３】サービスエリアマップの一例を示す説明図である。
【図１４】サービスエリアマップの一例を示す説明図である。
【図１５】本発明における第２実施形態を示す放送受信装置と受信状態算出装置のブロック図である。
【図１６】第２実施形態の放送受信装置と受信状態算出装置における受信状態を出力する手順の一例を示すフローチャート図である。
【図１７】本発明における第３実施形態を示す放送受信装置と受信状態算出装置のブロック図である。
【図１８】第３実施形態の放送受信装置と受信状態算出装置における受信状態を出力する手順の一例を示すフローチャート図である。
【図１９】本発明における第４実施形態を示す放送受信装置のブロック図である。
【図２０】第４実施形態の放送受信装置における受信状態を出力する手順の一例を示すフローチャート図である。
【図２１】（ａ）は各チャンネルの番組毎の受信状態の一覧の表示例を示す説明図であり、（ｂ）は指定したチャンネルの受信状態と番組情報と経路情報の表示例を示す説明図である。
【図２２】（ａ）は指定した受信状態に対応する番組の一覧の表示例を示す説明図であり、（ｂ）は指定した時間に受信可能な番組の一覧の表示例を示す説明図である。
【図２３】受信予約一覧の表示例を示す説明図である。
【図２４】本発明における自動選局処理の手順の一例を説明するフローチャート図である。
【図２５】本発明における経路情報と移動経路がずれる場合に対応した自動選局処理の手順の一例を説明するフローチャート図である。
【図２６】従来の移動体テレビ受信装置の構成例を示すブロック図である。
【符号の説明】
【００７２】
１０  放送受信装置
１１  現在地情報取得部
１２  経路情報取得部
１３  サービスエリアマップ取得部
１４  放送受信部
１５  制御部
１６  受信状態出力部
１７  受信状態算出部
１８  データ記憶部
１９  番組情報取得部
２０  放送受信装置
２１  現在地情報取得部
２２  通信処理部
２３  放送受信部
２４  制御部
２５  受信状態出力部
２６  データ記憶部
３０  受信状態算出装置
３１  通信処理部
３２  経路情報取得部
３３  サービスエリアマップ取得部
３４  制御部
３５  受信状態算出部
４０  放送受信装置
４１  通信処理部
４２  放送受信部
４３  制御部
４４  受信状態出力部
４５  データ記憶部
５０  受信状態算出装置
５１  通信処理部
５２  受信装置位置情報取得部
５３  経路情報取得部
５４  サービスエリアマップ取得部
５５  制御部
５６  受信状態算出部
【図１】
2007019920.tif 000003
【図２】
2007019920.tif 000004
【図３】
2007019920.tif 000005
【図４】
2007019920.tif 000006
【図５】
2007019920.tif 000007
【図６】
2007019920.tif 000008
【図７】
2007019920.tif 000009
【図８】
2007019920.tif 000010
【図９】
2007019920.tif 000011
【図１０】
2007019920.tif 000012
【図１１】
2007019920.tif 000013
【図１２】
2007019920.tif 000014
【図１３】
2007019920.tif 000015
【図１４】
2007019920.tif 000016
【図１５】
2007019920.tif 000017
【図１６】
2007019920.tif 000018
【図１７】
2007019920.tif 000019
【図１８】
2007019920.tif 000020
【図１９】
2007019920.tif 000021
【図２０】
2007019920.tif 000022
【図２１】
2007019920.tif 000023
【図２２】
2007019920.tif 000024
【図２３】
2007019920.tif 000025
【図２４】
2007019920.tif 000026
【図２５】
2007019920.tif 000027
【図２６】
2007019920.tif 000028